(57)【要約】【課題】カメラと撮像装置に接続可能なアクセサリーを接続した際にアクセサリーの通信速度の違いにより、バッテリーの認証のタイミングを変更し、電池認証と警告表示を行い、撮像装置とアクセサリーとの接続制御を行う撮像装置を提供すること。【解決手段】アクセサリーと接続することで撮影機能を拡張する構成を有する撮像装置であって、通信制御手段は、電池認証手段でアクセサリーに装填されたバッテリーが純正品であることを検証するために認証を行い、バッテリーが認証できた場合には、当該アクセサリーとの通信を許可し、バッテリーが認証できなかった場合には、ユーザーインタフェース手段により当該バッテリーが純正品か否かについて認識を入力するようにユーザーに要求し、ユーザーの回答により、前記通信制御手段により通信制御を行う。【選択図】図１
2017120950.tif 000002
【特許請求の範囲】
【請求項１】
アクセサリーと接続することで撮影機能を拡張する構成を有する撮像装置であって、
アクセサリーに装填されたバッテリーが純正品であることを検証するために認証を行う電池認証手段と、
ユーザーインタフェース手段と、
前記アクセサリーとの通信を制御する通信制御手段と、を備え、
前記通信制御手段は、前記電池認証手段でアクセサリーに装填されたバッテリーが純正品であることを検証するために認証を行い、バッテリーが認証できた場合には、当該アクセサリーとの通信を許可し、バッテリーが認証できなかった場合には、前記ユーザーインタフェース手段により当該バッテリーが純正品か否かについて認識を入力するようにユーザーに要求し、ユーザーの回答により、前記通信制御手段により通信制御を行うことを特徴とする撮像装置。
【請求項２】
前記通信制御手段は、通信方式を取得し、高速通信方式の場合は、即時、電池認証手段により電池認証を行い、低速通信方式の場合は、撮像装置が特定の状態のときに電池認証手段により電池認証を行うことを特徴とする請求項１に記載の撮像装置。
【請求項３】
前記通信制御手段は、低速通信方式の場合は、アクセサリー側の電池認証手段（３８２）により電池認証を行うことを特徴とする請求項２に記載の撮像装置。
【請求項４】
前記通信制御手段は、ユーザーの回答がバッテリーを純正品と認識している旨の入力をしたときは、アクセサリーとの通信を切断することを特徴とする請求項１乃至請求項３の何れか一項に記載の撮像装置。
【請求項５】
ユーザーの回答がバッテリーを純正品と認識していない旨の入力をしたときは、前記ユーザーインタフェース手段により当該バッテリーの不具合の可能性について認識を入力するようにユーザーに要求し、ユーザーの回答により、前記通信制御手段により通信制御を行うことを特徴とする請求項１乃至請求項３の何れか一項に記載の撮像装置。
【請求項６】
ユーザーの回答がバッテリーの不具合を認識している旨の入力をしたときは、アクセサリーとの通信を行うことを特徴とする請求項５に記載の撮像装置。
【請求項７】
ユーザーの回答がバッテリーの不具合を認識していない旨の入力をしたときは、アクセサリーとの通信を切断することを特徴とする請求項５に記載の撮像装置。
【発明の詳細な説明】
【技術分野】
【０００１】
本発明は、アクセサリーを接続可能な撮像装置に関する。
【背景技術】
【０００２】
従来、非純正のバッテリー使用による電池残量が正しく表示されないといった事象が発生していることから、それを防止する目的で、バッテリーの電力供給制御を行う装置が提案されている。
【０００３】
特許文献１には、接続されたバッテリーの電池認証を行った際に純正品であれば通常動作させ、非純正品であれば最小電力モードに移行させることが開示されている。
【０００４】
しかし、撮像装置に接続可能なアクセサリー接続時にアクセサリーの通信速度の違いにより、バッテリーの認証のタイミングを変更し、アクセサリーとの接続制御する方法についての開示は無い。
【０００５】
また、特許文献２には、接続されたバッテリーの電池認証を行った際に純正品であればデバイスの接続を許可させ、非純正品であればデバイスの接続を拒否させることが開示されている。
【０００６】
しかし、特許文献１と同様で撮像装置に接続可能なアクセサリー接続時にアクセサリーの通信速度の違いにより、バッテリーの認証のタイミングを変更し、アクセサリーとの接続制御する方法についての開示は無い。
【先行技術文献】
【特許文献】
【０００７】
【特許文献１】特開２００６−０５４７５４号公報
【特許文献２】特開２００５−０９４１２８号公報
【発明の概要】
【発明が解決しようとする課題】
【０００８】
特許文献１、２に開示された従来技術には、撮像装置に接続可能なアクセサリー接続時にアクセサリーの通信速度の違いにより、バッテリーの認証のタイミングを変更し、アクセサリーとの接続制御する方法についての開示は無い。
【０００９】
そこで、本発明の目的は、カメラと撮像装置に接続可能なアクセサリーを接続した際にアクセサリーの通信速度の違いにより、バッテリーの認証のタイミングを変更し、電池認証と警告表示を行い、撮像装置とアクセサリーとの接続制御を行う撮像装置を提供することにある。
【課題を解決するための手段】
【００１０】
上記の目的を達成するために、本発明に係る撮像装置は、
アクセサリーと接続することで撮影機能を拡張する構成を有する撮像装置であって、アクセサリーに装填されたバッテリーが純正品であることを検証するために認証を行う電池認証手段と、ユーザーインタフェース手段と、前記アクセサリーとの通信を制御する通信制御手段と、を備える。前記通信制御手段は、前記電池認証手段でアクセサリーに装填されたバッテリーが純正品であることを検証するために認証を行い、バッテリーが認証できた場合には、当該アクセサリーとの通信を許可し、バッテリーが認証できなかった場合には、前記ユーザーインタフェース手段により当該バッテリーが純正品か否かについて認識を入力するようにユーザーに要求し、ユーザーの回答により、前記通信制御手段により通信制御を行うことを特徴とする。
【発明の効果】
【００１１】
本発明に係る撮像装置によれば、非純正のバッテリー使用による電池残量が正しく表示されないなどの不具合を防止することが可能になる。さらに、カメラと撮像装置に接続可能なアクセサリーを接続した際にアクセサリーの通信速度の違いにより、バッテリーの認証のタイミングを変更し、電池認証と警告表示を行い、撮像装置とアクセサリーとの接続制御を行うことが可能になる。
【図面の簡単な説明】
【００１２】
【図１】デジタルカメラの外観図である。
【図２】デジタルカメラのブロック図である。
【図３（ａ）】実施形態１のフローチャートである。
【図３（ｂ）】実施形態１のフローチャートである。
【図４（ａ）】実施形態２のメインフローチャートである。
【図４（ｂ）】実施形態２のメインフローチャートである。
【図５】実施形態２のフローチャートである。
【発明を実施するための形態】
【００１３】
以下に、本発明の好ましい実施の形態を、添付の図面に基づいて詳細に説明する。
【００１４】
＜実施形態１＞
以下、図面を参照して、本発明の実施形態１による電池認証装置について説明する。
【００１５】
図１（ａ）、（ｂ）に、本発明の撮像装置の一例としてのデジタルカメラの外観図を示す。図１（ａ）はデジタルカメラ１００の前面斜視図であり、図１（ｂ）はデジタルカメラ１００の背面斜視図である。
【００１６】
図１において、表示部２８は画像や各種情報を表示する表示部である。シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は図２の操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。
【００１７】
サブ電子ダイヤル７３は図２の操作部７０に含まれ、回転操作部材であり、選択枠の移動や画像送りなどを行える。十字キー７４は図２の操作部７０に含まれ、上、下、左、右部分をそれぞれ押し込み可能な十字キーである。十字キー７４の押した部分に応じた操作が可能である。ＳＥＴボタン７５は図２の操作部７０に含まれ、押しボタンであり、主に選択項目の決定などに用いられる。ＬＶボタン７６は図２の操作部７０に含まれ、静止画撮影モードにおいてライブビュー（以下、ＬＶ）のＯＮとＯＦＦを切り替えるボタンである。動画撮影モードにおいては、動画撮影（記録）の開始、停止の指示に用いられる。拡大ボタン７７は図２の操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。
【００１８】
再生ボタン７８は図２の操作部７０に含まれ、撮影モードと再生モードとを切り替える操作ボタンである。撮影モード中に再生ボタン７８を押下することで再生モードに移行し、記録媒体２００に記録された画像のうち最新の画像を表示部２８に表示させることができる。ＭＥＮＵボタン７９は図２の操作部７０に含まれ、撮影モードとメニューモードとを切り替える操作ボタンである。クイックリターンミラー１２は、図２のシステム制御部５０から指示されて、不図示のアクチュエータによりアップダウンされる。通信端子１０はデジタルカメラ１００がレンズ側（着脱可能）と通信を行う為の通信端子である。
【００１９】
接眼ファインダー１６は図２のフォーカシングスクリーン１３を観察することで、図２のレンズユニット１５０を通して得た被写体の光学像の焦点や構図の確認を行うための覗き込み型のファインダーである。蓋２０２は図２の記録媒体２００を格納したスロットの蓋である。グリップ部９０は、ユーザーがデジタルカメラ１００を構えた際に右手で握りやすい形状とした保持部である。フラッシュ１９はデジタルカメラ１００に内蔵された閃光装置である
図２は本実施形態によるデジタルカメラ１００の構成例を示すブロック図である。
【００２０】
図２において、レンズユニット１５０は、交換可能な撮影レンズを搭載するレンズユニットである。
【００２１】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００２２】
ＡＥセンサー１７は、レンズユニット１５０を通した被写体の輝度を測光する。焦点検出部１１は、システム制御部５０にデフォーカス量情報を出力する。システム制御部５０はそれに基づいてレンズユニット１５０を制御し、位相差ＡＦを行う。
【００２３】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダー１６側と撮像部２２側とに切替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー２２はその中央部が光の一部を透過できるようにハーフミラーとなっており、光束の一部を、焦点検出を行うための焦点検出部１１に入射するように透過させる。
【００２４】
撮影者は、ペンタプリズム１４とファインダー１６を介して、フォーカシングスクリーン１３を観察することで、レンズユニット１５０を通して得た被写体の光学像の焦点や構図の確認が可能となる。
【００２５】
フォーカルプレーンシャッター１０１は、システム制御部５０の制御で撮像素子部２２の露光時間を自由に制御できるフォーカルプレーンシャッターである。
【００２６】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２８】
Ａ／Ｄ変換器２３からの出力データは、画像処理部２４及びメモリ制御部１５を介して、或いは、メモリ制御部１５を介してメモリ３２に直接書き込まれる。
【００２９】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。
【００３０】
Ｄ／Ａ変換器２５は、メモリ３２に格納されている画像表示用のデータをアナログ信号に変換して表示部２８に供給する。こうして、メモリ３２に書き込まれた表示用の画像データはＤ／Ａ変換器２５を介して表示部２８により表示される。
【００３１】
表示部２８は、ＬＣＤ等の表示器上に、Ｄ／Ａ変換器２５からのアナログ信号に応じた表示を行う。Ａ／Ｄ変換器２３によって一度Ａ／Ｄ変換されメモリ３２に蓄積されたデジタル信号をＤ／Ａ変換器２５においてアナログ変換し、表示部２８に逐次転送して表示することで、電子ビューファインダとして機能し、スルー画像表示（ライブビュー表示）を行える。
【００３２】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３３】
システム制御部５０は、デジタルカメラ１００全体を制御する。前述した不揮発性メモリ５６に記録されたプログラムを実行することで、後述する本実施形態の各処理を実現する。
【００３４】
５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器２５、表示部２８等を制御することにより表示制御も行う。
【００３５】
システムタイマー５３は各種制御に用いる時間や、内蔵された時計の時間を計測する計時部である。フラッシュ制御回路５４は、フラッシュ１９を制御する回路である。フラッシュ１９のポップアップや発光タイミング、発光量の調整を行う。
【００３６】
モード切替スイッチ６０、第１シャッタースイッチ６２、第２シャッタースイッチ６４、操作部７０はシステム制御部５０に各種の動作指示を入力するための操作手段である。
【００３７】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００３８】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３９】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００４０】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、再生ボタン７８。
【００４１】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４２】
通信制御部８２は、後述するアクセサリーユニット３００の電池認証、電池種類の検出を行う。また、通信制御部８２は、アクセサリーユニット３００との電池認証結果によりアクセサリーユニット３００との通信の接続／切断を制御する。また、通信制御部８２は、アクセサリーユニット３００の機能を利用するために通信方法の確立や情報通信を行う。
【００４３】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４４】
図２において、アクセサリーユニット３００は、デジタルカメラ１００の機能を拡張するためのストロボ、ＧＰＳ、無線ＬＡＮなどのデバイスを搭載するアクセサリーユニットである。
【００４５】
不揮発性メモリ３５６は、電気的に消去・記録可能なメモリであり、例えばＥＥＰＲＯＭ等が用いられる。不揮発性メモリ３５６には、システム制御部３５０の動作用の定数、プログラム等が記憶される。ここでいう、プログラムとは、本実施形態にて後述する各種フローチャートを実行するためのプログラムのことである。
【００４６】
システム制御部３５０は、アクセサリーユニット３００全体を制御する。システム制御部３５０は、バッテリー３９２から電池認証、電池種類の検出のための情報を受け取り、通信制御部３８２にデジタルカメラ１００と電池認証、電池種類のやりとりを指示する。
【００４７】
電源スイッチ３７２は、ユーザーからの操作を受け付ける入力部としての操作部材である。電源制御部３８０は、電池検出回路、ＤＣ−ＤＣコンバータ、通電するブロックを切り替えるスイッチ回路等により構成され、電池の装着の有無、電池の種類、電池残量の検出を行う。また、電源制御部３８０は、その検出結果及びシステム制御部３５０の指示に基づいてＤＣ−ＤＣコンバータを制御し、必要な電圧を必要な期間、各部へ供給する。
【００４８】
バッテリー３９２は、ＮｉＣｄ電池やＮｉＭＨ電池、Ｌｉ電池等のバッテリーからなる。また、バッテリー３９２は、プラス電圧線（＋）、マイナス電圧線（−）、信号線（Ｓ）の各線を持ち、プラス電圧線（＋）、マイナス電圧線（−）は、電源制御部３８０に接続され、信号線（Ｓ）は、システム制御部３５０に接続される。信号線（Ｓ）を使って電池認証や電池種類の情報を送る。
【００４９】
通信制御部３８２は、デジタルカメラ１００と電池認証、電池種類のやりとりを行う。また、アクセサリーユニット３００でバッテリー３９２の電池認証を行う場合は、通信制御部３８２にその機能を持つ。また、通信制御部３８２は、アクセサリーユニット３００の機能を提供するためにデジタルカメラ１００と通信方法の確立や情報通信を行う。
【００５０】
ここで、通信制御部８２で行う電池認証について説明する。
【００５１】
電池の認証では、純正品と非純正品を区別するための認証処理が行われる。バッテリー３９２には、認証処理を行うのに必要な認証ＩＣ（不図示）と鍵データ（不図示）が搭載される。また、同様に、デジタルカメラ１００にも認証ＩＣ（不図示）と鍵データ（不図示）が搭載される。認証処理では、共通鍵暗号方式や公開鍵暗号方式などの暗号方式により、バッテリー３９２とデジタルカメラ１００の鍵データが対応したものである時に認証処理が成功する。なお、認証処理をアクセサリーユニット３００で行う場合には、バッテリー３９２とは別にアクセサリーユニット３００にも認証ＩＣ（不図示）と鍵データ（不図示）が搭載されるとしても良い。
【００５２】
また、非純正品でも、純正品を模倣して認証ＩＣと鍵データを搭載しているものがあるが、一般に純正品の鍵データのコピーは困難である。そのため、認証処理を失敗するので、バッテリーが非純正品であることが判明する。
【００５３】
図３（ａ）、図３（ｂ）は実施例１における認証システムのフローチャートである。このフローチャートにおける各処理はシステム制御部５０が不揮発性メモリ５６に格納されたプログラムを実行することにより実現される。
【００５４】
アクセサリーユニット３００がデジタルカメラ１００に接続されるとシステム制御部５０は実行を開始する。
【００５５】
［ステップＳ１０２］アクセサリー情報の取得
通信制御部８２によりアクセサリーユニット３００のアクセサリー情報を取得する。
【００５６】
［ステップＳ１０４］アクセサリー情報
ステップＳ１０２でアクセサリー情報の取得ができたかを判定する。アクセサリー情報の取得ができた場合は、ステップＳ１０６へ、アクセサリー情報の取得ができなかった場合は、ステップＳ１０２へ分岐する。
【００５７】
［ステップＳ１０６］通信方式
ステップＳ１０２で取得したアクセサリー情報の通信方式を判定する。通信方式が高速通信方式の場合は、（Ｉ）、つまりステップＳ１１２へ、通信方式が低速通信方式の場合は、ステップＳ１０８へ分岐する。
【００５８】
ここで、通信方式の高速通信方式、低速通信方式の分類方法としては、ＵＳＢ（Ｕｎｉｖｅｒｓａｌ  Ｓｅｒｉａｌ  Ｂｕｓ）、ＩＥＥＥ１３９４などの規格で分類しても良いし、デジタルカメラ１００とアクセサリーユニット３００間の通信速度で分類しても良いし、アクセサリーデバイスに基づいて分類しても良い。
【００５９】
［ステップＳ１０８］カメラ状態が待機中か
カメラ状態が待機中かどうか判定する。カメラ状態が待機中の場合は、（Ｉ）、つまりステップＳ１１２へ、カメラ状態が待機中でない場合は、ステップＳ１０８へ分岐する。
【００６０】
このように、カメラとアクセサリーを接続した際に、高速通信方式の場合は、即時電池認証を行い、低速通信方式の場合は、カメラ状態が待機中に電池認証をおこなうことになる。
【００６１】
［ステップＳ１１２］バッテリーの電池認証
アクセサリーユニット３００のバッテリー３９２の電池認証を通信制御部８２により行う。
【００６２】
［ステップＳ１１４］純正バッテリーか
ステップＳ１１２の電池認証の結果、バッテリー３９２が純正バッテリーかどうかを判定する。バッテリー３９２が純正バッテリーの場合は、ステップＳ１１６へ、バッテリー３９２が純正バッテリーでない場合は、ステップＳ１２０へ分岐する。
【００６３】
［ステップＳ１１６］アクセサリー機能の利用を開始
通信制御部８２によりアクセサリーユニット３００との通信を継続し、アクセサリーユニット３００と情報通信を行うことでアクセサリー機能の利用を開始する。つまり、アクセサリー機能の利用ができるようになる。
【００６４】
［ステップＳ１２０］純正バッテリーをお使いですか。
表示部２８に「純正バッテリーをお使いですか。」の文言を表示する。
【００６５】
［ステップＳ１２２］ユーザー操作がＹＥＳか
ユーザーが操作部７０を操作し、ユーザーがＹＥＳアイコンを選択したかどうかを判定する。ユーザーがＹＥＳアイコンを選択した場合は、ステップＳ１２４へ、それ以外の場合は、ステップＳ１３０へ分岐する。
【００６６】
［ステップＳ１２４］非純正品の可能性があります。お客様相談センターにご相談下さい。アクセサリーとの接続を停止します。
表示部２８に「非純正品の可能性があります。お客様相談センターにご相談下さい。アクセサリーとの接続を停止します。」の文言を表示する。
【００６７】
［ステップＳ１２６］アクセサリー機能の利用を停止
通信制御部８２によりアクセサリーユニット３００との通信を停止する。つまり、アクセサリー機能の利用ができなくなる。
【００６８】
このように、カメラとアクセサリーを接続し、電池認証に失敗した場合に、アクセサリーが純正品か否かについて認識を入力するようにユーザーに要求し、ユーザーの回答がバッテリーを純正品と認識している旨の入力をしたときは、アクセサリーとの通信を停止することになる。
【００６９】
［ステップＳ１３０］このバッテリーの動作および安全性を保証しません。使用を続けますか。
表示部２８に「このバッテリーの動作および安全性を保証しません。使用を続けますか。」の文言を表示する。
【００７０】
［ステップＳ１３２］ユーザー操作がＹＥＳか
ユーザーが操作部７０を操作し、ユーザーがＹＥＳアイコンを選択したかどうかを判定する。ユーザーがＹＥＳアイコンを選択した場合は、ステップＳ１３４へ、それ以外の場合は、ステップＳ１４０へ分岐する。
【００７１】
［ステップＳ１３４］アクセサリー機能の利用を開始
通信制御部８２によりアクセサリーユニット３００との通信を継続し、アクセサリーユニット３００と情報通信を行うことでアクセサリー機能の利用を開始する。つまり、アクセサリー機能の利用ができるようになる。
【００７２】
この場合は、ユーザーが不具合発生の可能性を了承しているので、バッテリー３９２が非純正バッテリーであっても使用可能としている。
【００７３】
このように、カメラとアクセサリーを接続し、電池認証に失敗した場合に、バッテリーの不具合の可能性について認識を入力するようにユーザーに要求し、ユーザーの回答がバッテリーの不具合を認識している旨の入力をしたときは、アクセサリー機能利用ができるようになる。
【００７４】
［ステップＳ１４０］アクセサリーとの接続を停止します。
表示部２８に「アクセサリーとの接続を停止します。」の文言を表示する。
【００７５】
［ステップＳ１４２］アクセサリー機能の利用を停止
通信制御部８２によりアクセサリーユニット３００との通信を停止する。つまり、アクセサリー機能の利用ができなくなる。
【００７６】
この場合は、ユーザーが不具合発生の可能性を了承していないので、バッテリー３９２が非純正バッテリーであることから使用不能としている。
【００７７】
このように、カメラとアクセサリーを接続し、電池認証に失敗した場合に、バッテリーの不具合の可能性について認識を入力するようにユーザーに要求し、ユーザーの回答がバッテリーの不具合を認識していない旨の入力をしたときは、アクセサリー機能を停止することになる。
【００７８】
以上のようにして、カメラと撮像装置に接続可能なアクセサリーを接続した際にアクセサリーの通信速度の違いにより、バッテリーの認証のタイミングを変更し、電池認証と警告表示を行い、撮像装置とアクセサリーとの接続制御を行うことが可能になった。さらに、アクセサリーに入っているバッテリーの純正品／非純正品によりアクセサリー機能を利用／停止を変更することで非純正のバッテリー使用による電池残量が正しく表示されないなどの不具合を防止することが可能になった。
【００７９】
＜実施形態２＞
実施形態１では、アクセサリーの通信方式が低速通信方式の場合でも、カメラとアクセサリーとで電池認証を行っていたが、通信のやりとりが多くなる場合は、通信経路のボトルネックによる処理時間の遅延が想定される。
【００８０】
そこで、実施形態２では、アクセサリーの通信方式が低速通信方式の場合は、カメラとアクセサリー間で電池認証を行うのでは無く、アクセサリー内で電池認証を行うことで、通信経路のボトルネックがあっても処理時間の遅延が少ない方法について説明を行う。
【００８１】
図４（ａ）、図４（ｂ）は実施例２における認証システムのフローチャートである。このフローチャートにおける各処理はシステム制御部５０が不揮発性メモリ５６に格納されたプログラムを実行することにより実現される。
【００８２】
アクセサリーユニット３００がデジタルカメラ１００に接続されるとシステム制御部５０は実行を開始する。ここでは、実施例１と異なるステップについて説明を行う。
【００８３】
［ステップＳ１５０］アクセサリー側での電池認証指示
通信制御部８２により、アクセサリーユニット３００で電池認証を行う指示を送る。
【００８４】
ここで、アクセサリーユニット３００で行う電池認証処理について説明する。図５は実施例２における認証システムのフローチャートである。このフローチャートにおける各処理はシステム制御部３５０が不揮発性メモリ３５６に格納されたプログラムを実行することにより実現される。
【００８５】
デジタルカメラ１００の通信制御部８２により、アクセサリーユニット３００で、電池認証を行う指示が送られ、アクセサリーユニット３００の通信制御部３８２で受け付けるとシステム制御部３５０は実行を開始する。
【００８６】
［ステップＳ２０２］バッテリーの電池認証
アクセサリーユニット３００のバッテリー３９２の電池認証を通信制御部３８２により行う。
【００８７】
［ステップＳ２０４］電池認証情報の記録
ステップＳ２０２の電池認証結果をシステム制御部３５０により電池認証情報として記録する。
【００８８】
図４ａ、図４ｂに戻って説明する。
【００８９】
［ステップＳ１５２］電池認証情報取得
通信制御部８２により、ステップＳ２０４でアクセサリーユニット３００で行われた電池認証情報を取得する。この後、（ＩＩ）、つまりステップＳ１１４へ進む。
【００９０】
このように、カメラとアクセサリーを接続し、アクセサリーの通信方式が低速通信方式であった場合に、電池認証をアクセサリー側で行うようにすることで、通信経路のボトルネックがあっても処理時間の遅延を少なくすることができている。
【００９１】
以上のようにして、カメラと撮像装置に接続可能なアクセサリーを接続した際にアクセサリーの通信速度の違いにより、バッテリーの認証のタイミングを変更し、電池認証と警告表示を行い、撮像装置とアクセサリーとの接続制御を行うことが可能になった。さらに、アクセサリーに入っているバッテリーの純正品／非純正品によりアクセサリー機能を利用／停止を変更することで非純正のバッテリー使用による電池残量が正しく表示されないなどの不具合を防止することが可能になった。
【符号の説明】
【００９２】
２８  表示部、５０  システム制御部、７０  操作部、８２  通信制御部、
１００  デジタルカメラ、３００  アクセサリーユニット、３５０  システム制御部、
３５６  不揮発性メモリ、３７２  電源スイッチ、３８０  電源制御部、
３８２  通信制御部、３９２  バッテリー
【図１】
2017120950.tif 000003
【図２】
2017120950.tif 000004
【図３（ａ）】
2017120950.tif 000005
【図３（ｂ）】
2017120950.tif 000006
【図４（ａ）】
2017120950.tif 000007
【図４（ｂ）】
2017120950.tif 000008
【図５】
2017120950.tif 000009